(57)【要約】  【課題】  商品情報や宣伝等が印刷されたシールを全面に貼付することができるとともに、商品の安全性を確保することができるボトル外装部材およびボトルを提供すること。  【解決手段】  ボトル外装部材１３が、飲料水が収容可能なボトル本体部１１を開閉するボトルキャップに装着されるボトルキャップ取付け部１５と、玩具１７が装着されるとともに、ボトルキャップ取付け部１５に切取り部１５ａを介して接続され、ボトル本体部１１の上部を被覆するオーバーキャップ１４とを備えている。【選択図】  図１
2006069640.tif 000002
【特許請求の範囲】
【請求項１】
飲料水が収容可能なボトル本体部を開閉するボトルキャップに装着されるボトルキャップ取付け部と、前記ボトルキャップ取付け部に切取り部を介して接続され、前記ボトル本体部の上部を被覆する被覆部とを備えたことを特徴とするボトル外装部材。
【請求項２】
前記被覆部に連結手段を介して玩具が取付けられることを特徴とする請求項１に記載のボトル外装部材。
【請求項３】
前記連結手段は、前記ボトルキャップ取付け部に取付けられた第１係合部と、前記玩具に設けられ、前記第１係合部に対して回転が許容され、かつ前記第１係合部に抜け止め係止される第２係合部とからなることを特徴とする請求項１または請求項２に記載のボトル外装部材。
【請求項４】
前記ボトルキャップ取付け部は、前記ボトルキャップに係合する第３係合部を有し、前記ボトル本体部に対してボトルキャップと一体的に回転することを特徴とする請求項１〜３の何れか１項に記載のボトル外装部材。
【請求項５】
請求項１〜請求項４の何れか１項に記載のボトル外装部材と、前記ボトル外装部材が装着され、飲料物を収納可能なボトル本体部とからなることを特徴とするボトル。
【発明の詳細な説明】
【技術分野】
【０００１】
本発明は、ボトル外装部材およびボトルに関し、例えば、ジュースやお茶等の飲料水が収納されたボトル本体部の上部およびボトルキャップに装着されてボトルの形状を変更可能なボトル外装部材およびボトルに関するものである。
【背景技術】
【０００２】
従来、ジュースやお茶等の飲料水が収納されたボトルとしては、図８に示すものがある。図８において、ボトル本体部１には飲料水が収納されており、ボトル本体部１の上部にはボトル本体部１を開閉するボトルキャップ２が取付けられている（例えば、特許文献１参照）。
【特許文献１】特開２００１−２０６３２８号公報
【発明の開示】
【発明が解決しようとする課題】
【０００３】
しかしながら、このような従来のボトルにあっては、ボトル本体部１の上部の肩部１ａが急激に湾曲しているため、商品情報や宣伝等が印刷されたシール３をボトル本体部１に貼付するときに、シール３の上端ａをボトル本体１の途中までしか貼付することができない。
【０００４】
すなわち、ボトル本体部１の全面にシール３を貼付するようにすれば、ボトルの内容や広告等を有効に表示することができるが、この場合には、急激に湾曲している肩部１ａでシール３が急激に先細りしてしまうため、肩部１ａまでシール３を貼付することができない。
【０００５】
また、店舗に陳列されているボトルキャップ２を、子供等が悪戯して開けてボトル本体部１を開封した後、ボトルキャップ２を閉じた場合に、外観的には開封前のボトルか開封後のボトルであるのかを区別することができなかった。このため、開封後のボトルを販売してしまうおそれがあり、商品の安全性を十分に確保することが困難であった。
【０００６】
本発明は、これらの問題を解決するためになされたもので、商品情報や宣伝等が印刷されたシールを全面に貼付することができるとともに、商品の安全性を確保することができるボトル外装部材およびボトルを提供するものである。
【課題を解決するための手段】
【０００７】
本発明のボトル外装部材は、飲料水が収容可能なボトル本体部を開閉するボトルキャップに装着されるボトルキャップ取付け部と、前記ボトルキャップ取付け部に切取り部を介して接続され、前記ボトル本体部の上部を被覆する被覆部とを備えたものから構成される。
【０００８】
この構成により、ボトル本体部の上部を被覆部によって被覆しているので、ボトル本体部の上部が急激に湾曲しているボトルに後付けすることができるとともに、ボトル本体部とボトルキャップを被覆部によって滑らかに連結することができる。このため、ボトル本体部および被覆部の全面に商品情報や宣伝等が印刷されたシールを貼付することができ、ボトルの表面を有効に活用して多くの商品情報の伝達や宣伝等を行うことができる。
【０００９】
また、ボトルキャップにボトルキャップ取付け部を取付けるとともに、ボトルキャップ取付け部に切取り部を介して被覆部を接続したので、ボトルキャップ取付け部と被覆部にシールを貼付した状態で、ボトルキャップ取付け部を把持してボトルキャップを回したときに、切取り部を境にしてボトルキャップ取付け部が被覆部から切断されてシールが切れる。
【００１０】
このため、子供等が悪戯してボトル本体部を開封した後、ボトルキャップを閉じた場合に、シールが切断されていることでボトル本体部が一旦開封されたことを認識することができる。したがって、開封後のボトルを販売してしまうのを確実に防止することができ、商品の安全性を十分に確保することができる。
【００１１】
また、本発明のボトル外装部材は、被覆部に連結手段を介して玩具が取付けられるものから構成される。
【００１２】
この構成により、飲料水を飲んだ後に、玩具をボトルキャップ取付け部と共に収集することができ、商品の収集意欲の増進を促して、購買意欲の増進をもたらすことができる。
【００１３】
また、本発明のボトル外装部材は、前記連結手段は、前記ボトルキャップ取付け部に取付けられた第１係合部と、前記玩具に設けられ、前記第１係合部に対して回転が許容され、かつ前記第１係合部に抜け止め係止される第２係合部とからなるものから構成される。
【００１４】
この構成により、ボトルキャップ取付け部から玩具が取り外されてしまうのを防止することができる。また、玩具がボトルキャップ取付け部に対して回転自在となっているので、誤って玩具を回転させたときに、玩具のみを回転させてボトルキャップが回転してしまうのを防止することができ、ボトル本体部が開封されてしまうのを防止することができる。
【００１５】
また、本発明のボトル外装部材は、前記ボトルキャップ取付け部が、前記ボトルキャップに係合する第３係合部を有し、前記ボトル本体部に対してボトルキャップと一体的に回転するものから構成される。
【００１６】
この構成により、ボトルキャップ取付け部を把持して回したときに、ボトルキャップを回転させてボトル本体部を確実に開封することができる。また、ボトルキャップよりも大径のボトルキャップ取付け部を回してボトル本体部を開封することができるので、老人や子供等のように握力の弱い人でもボトル本体部を確実に開封することができる。
【００１７】
また、本発明のボトルは、上述したボトル外装部材と、前記ボトル外装部材が装着され、飲料物を収納可能なボトル本体部とからなる。
【００１８】
この構成により、商品情報や宣伝等が印刷されたシールを全面に貼付することができるとともに、商品の安全性を確保することができるボトル外装部材およびボトルを提供することができる。
【発明の効果】
【００１９】
本発明のボトル外装部材およびボトルによれば、商品情報や宣伝等が印刷されたシールを全面に貼付することができるとともに、商品の安全性を確保することができるボトル外装部材およびボトルを提供することができる。
【発明を実施するための最良の形態】
【００２０】
以下、本発明の実施の形態について、図面を用いて説明する。
【００２１】
図１〜図６は本発明に係るボトル外装部材およびボトル外装部材を備えたボトルの第１の実施の形態を示す図である。
【００２２】
まず、構成を説明する。図１〜図３において、ボトル１０は、ジュースやお茶等の飲料水が収納されたボトル本体部１１と、ボトル本体部１１を開閉するボトルキャップ１２とを備えており、ボトル本体部１１の上部に形成された螺子部１１ａおよびボトルキャップ１２の内周面に形成された螺子部１２ａが螺合することにより、ボトルキャップ１２がボトル本体部１１に取付けられている。なお、ボトル本体部１１およびボトルキャップ１２は金属であっても、プラスチック等の樹脂であっても良い。
【００２３】
また、ボトル本体部１１の上部にはボトル外装部材１３が取付けられており、このボトル外装部材１３は、ボトルキャップ１２に取付けられるボトルキャップ取付け部１５と、ボトルキャップ取付け部１５にミシン目等の切取り部１５ａを介して接続され、ボトル本体部１１の上部を被覆するオーバーキャップ（被覆部）１４と、ボトルキャップ取付け部１５と一体的に設けられ、玩具１７が装着される突出部１６とを備えている。
【００２４】
オーバーキャップ１４はボトルキャップ取付け部１５側が小径の開口部を有するとともに、ボトル本体部１１側が大径の開口部を有し、ボトルキャップ取付け部１５に対して回転させると、切取り部１５ａを境にしてボトルキャップ取付け部１５から切断されるようになっている（図４参照）。
【００２５】
また、突出部１６の底面には環状凹部（第１係合部）１６ａが形成されているとともに、玩具１７の底面内周部には環状凹部１６ａに係合する環状凸部（第２係合部）１７ａが形成されている。このため、玩具１７が突出部１６に抜け止め係止される。また、環状凸部１７ａの板厚は環状凹部１６ａの幅よりも小さく形成されており、玩具１７は突出部１６に対して回転自在になっている。本実施の形態では、環状凹部１６ａおよび環状凸部１７ａが連結手段を構成している。
【００２６】
また、ボトルキャップ取付け部１５の内周面にはボトルキャップ１２の外周面に形成された縦溝１２ｂに嵌合する図示しない縦溝（第３係合部）が形成されており、ボトルキャップ取付け部１５はボトル本体部１１に対してボトルキャップ１２と一体的に回転するようになっている。
【００２７】
以上のような構成を有する本実施の形態のボトル１０にあっては、ボトル本体部１１の上部をオーバーキャップ１４によって被覆しているので、ボトル外装部材１３をボトル本体部１１の上部が急激に湾曲しているボトルに後付けすることができるとともに、ボトル本体部１１とボトルキャップ１２をオーバーキャップ１４によって滑らかに連結することができる。
【００２８】
このため、図５に示すように、ボトル本体部１１およびオーバーキャップ１４の全面に商品情報や宣伝等が印刷されたシール２２を貼付することができ、ボトル１０の表面を有効に活用して多くの商品情報の伝達や宣伝等を行うことができる。本実施の形態では、図５に示すように、ボトルキャップ取付け部１５までシール２２の上端部２２ａを貼付することができる。
【００２９】
また、ボトルキャップ１２にボトルキャップ取付け部１５を取付けるとともに、ボトルキャップ取付け部１５に切取り部１５ａを介してオーバーキャップ１４を接続したので、ボトルキャップ取付け部１５とオーバーキャップ１４にシール２２を貼付した状態で、ボトルキャップ取付け部１５を把持してボトルキャップ１２を回したときに、切取り部１５ａを境にしてボトルキャップ取付け部１５をオーバーキャップ１４から切断してシール２２を切ることができる。
【００３０】
図５にあっては、切取り部１５ａに位置するところに切取り部１５ａと同様のマーク２１を付けることにより、子供等が悪戯してボトル本体部１１を開封した後、ボトルキャップ１２を閉じた場合に、マーク２１に対応する位置のシール２２が切断されていることでボトル本体部１１が一旦開封されたことを認識することができる。したがって、開封後のボトル１０を販売してしまうのを確実に防止することができ、商品の安全性を十分に確保することができる。
【００３１】
また、本実施の形態では、オーバーキャップ１４に玩具１７を取付けたので、飲料水を飲んだ後に、玩具１７をボトルキャップ取付け部１５と共に収集することができ、商品の収集意欲の増進を促して、購買意欲の増進をもたらすことができる。
【００３２】
また、本実施の形態では、ボトルキャップ取付け部１５に環状凹部１６ａを設けるとともに、玩具１７に、環状凹部１６ａに対して回転が許容され、かつ環状凹部１６ａに抜け止め係止される環状凸部１７ａを設けたので、ボトルキャップ取付け部１５から玩具１７が取り外されてしまうのを防止することができるとともに、誤って玩具１７を回転させたときに、玩具１７のみを回転させてボトルキャップ１２が回転してしまうのを防止することができ、ボトル本体部１１が開封されてしまうのを防止することができる。
【００３３】
また、本実施の形態では、ボトルキャップ取付け部１５が、ボトルキャップ１２の縦溝１２ｂに係合する縦溝を有し、ボトル本体部１１に対してボトルキャップ１２と一体的に回転するものから構成したので、図６に示すようにボトルキャップ取付け部１５を把持して回したときに、ボトルキャップ１２を回転させてボトル本体部１１を確実に開封することができる。
【００３４】
また、ボトルキャップ１２よりも大径のボトルキャップ取付け部１５を回してボトル本体部１１を開封することができるので、老人や子供等のように握力の弱い人でもボトル本体部を確実に開封することができる。
【００３５】
図７は本発明に係るボトル外装部材およびボトル外装部材を備えたボトルの第２の実施の形態を示す図であり、ボトル外装部材の構成が第１の実施の形態と異なるものである。
【００３６】
図７において、ボトル外装部材３１は、ボトルキャップ１２に取付けられるボトルキャップ取付け部３３と、ボトルキャップ取付け部３３にミシン目等の切取り部３３ａを介して接続され、ボトル本体部１１の上部を被覆するオーバーキャップ（被覆部）３２と、ボトルキャップ取付け部３３に設けられ、玩具３６の底面の内周溝３７が嵌合される突出部３４とを備えている。
【００３７】
また、突出部３４の中央部には係合突起（第１係合部）３５が設けられており、この係合突起３５は玩具３６の底面の中心部に設けられた嵌合穴（第２係合部）３８に嵌合するようになっている。本実施の形態では、係合突起３５および嵌合穴３８が連結手段を構成している。
【００３８】
本実施の形態では、係合突起３５が嵌合穴３８に嵌合することにより、玩具３６が突出部３４に抜け止め係止される。また、嵌合穴３８の内径は係合突起３５の直径よりも大きく形成されており、玩具３６は突出部３４に対して回転自在になっている。
【００３９】
このようにしても、ボトルキャップ取付け部３３から玩具３６が取り外されてしまうのを防止することができるとともに、誤って玩具３６を回転させたときに、玩具３６のみを回転させてボトルキャップ１２が回転してしまうのを防止することができ、ボトル本体部１１が開封されてしまうのを防止することができる。
【産業上の利用可能性】
【００４０】
以上のように、本発明に係るボトル外装部材およびボトルは、商品情報や宣伝等が印刷されたシールを全面に貼付することができるとともに、商品の安全性を確保することができるという効果を有し、ジュースやお茶等の飲料水が収納されたボトル本体部の上部およびボトルキャップに装着されてボトルの形状を変更可能なボトル外装部材およびボトル等として有用である。
【図面の簡単な説明】
【００４１】
【図１】本発明の第１の実施の形態におけるボトル、ボトル外装部材および玩具の分解図
【図２】第１の実施の形態におけるボトル外装部材をボトルに取付けた状態を示す図
【図３】第１の実施の形態におけるボトル外装部材およびボトル外装部材に取付けられたボトルの断面図
【図４】第１の実施の形態におけるオーバーキャップとボトルキャップ取付け部の分解図
【図５】第１の実施の形態における商品化された状態のボトルおよびボトル外装部材を示す図
【図６】第１の実施の形態における商品化されたボトルおよびボトル外装部材からボトルキャップと共にボトルキャップ取付け部を取り外した状態を示す図
【図７】（ａ）は本発明の第２の実施の形態にボトル外装部材の構成図、（ｂ）は玩具の底面図
【図８】一般的なボトルの外観図
【符号の説明】
【００４２】
１０  ボトル
１１  ボトル本体部
１２  ボトルキャップ
１３、３１  ボトル外装部材
１５、３３  ボトルキャップ取付け部
１４、３２  オーバーキャップ（被覆部）
１５ａ、３３ａ  切取り部
１６ａ  環状凹部（第１係合部、連結手段）
１７  玩具
１７ａ  環状凸部（第２係合部、連結手段）
３５  係合突起（第１係合部、連結手段）
３６  玩具
３８  嵌合穴（第２係合部、連結手段）
【図１】
2006069640.tif 000003
【図２】
2006069640.tif 000004
【図３】
2006069640.tif 000005
【図４】
2006069640.tif 000006
【図５】
2006069640.tif 000007
【図６】
2006069640.tif 000008
【図７】
2006069640.tif 000009
【図８】
2006069640.tif 000010